(57)【要約】【課題】前後方向からワンタッチで脱着、交換可能としたロールペーパーホルダーにおいて、ロールペーパーが少なくなって小径となった時でも、ロールペーパーが落下することを防止する。【解決手段】ホルダー本体と、ペーパー保持部材と、紙切板とからなり、紙切板の左右方向の少なくともいずれか一方の下面には、この紙切板の下方への回動時にペーパー保持部材と当接し、このペーパー保持部材の後方への倒伏を規制する規制突起が設けられているロールペーパーホルダー。【選択図】  図５
2015066020.tif 000002
【特許請求の範囲】
【請求項１】
トイレルームの壁面に固定される壁面取付部と、該壁面取付部よりも前方に位置する左右の側部とを少なくとも備えたホルダー本体と、
該ホルダー本体の左右の側部の内面に対称的に設けられ、前後に移動するロールペーパーによって起倒自在であり、前方若しくは後方に倒伏した位置から起立した中立位置に向けて付勢されていることで、中立位置でロールペーパーの筒芯を回転可能に支持するペーパー保持部材と、
前記ホルダー本体の左右の側部に回動自在に取り付けられ、ロールペーパーの上面を覆うと共に、先端にペーパーの紙切り部が設けられた紙切板とからなり、
前記紙切板の左右方向の少なくともいずれか一方の下面には、この紙切板の下方への回動時に前記ペーパー保持部材と当接し、このペーパー保持部材の後方への倒伏を規制する規制突起が設けられている
ことを特徴とするロールペーパーホルダー。
【請求項２】
前記規制突起は、前記ホルダー本体の左右の側部とロールペーパーの端面との間に挿入可能であり、ロールペーパーの横移動を規制可能であることを特徴とする請求項１記載のロールペーパーホルダー。
【発明の詳細な説明】
【技術分野】
【０００１】
本発明は、トイレに設置されるロールペーパーホルダーの改良に関するものである。
【背景技術】
【０００２】
トイレ壁面に設置されるロールペーパーホルダーとしては、ペーパー保持部材にロールペーパーの筒芯を回転可能に支持しておき、ペーパーを使い終わるとペーパー支持部材から筒芯を簡単に取り外し、そして新しいロールペーパーを簡単に装着できることが求められている。そのような、使い勝手の良いロールペーパーホルダーとして、例えば、特許文献１に記載されているようなロールペーパーホルダーが知られている。
【０００３】
この先行文献１に記載されたロールペーパーホルダーにおいては、ロールペーパーをホルダーの前後方向からワンタッチで脱着、交換可能としているため、ホルダー上下のデッドスペースを無くすことができ、スペース上極めて有利であり、従って、ホルダー周辺部の機器類の設置自由度の向上、ロールペーパーの前後方向移動操作のみによるワンタッチのロールペーパー脱着、交換が可能なホルダーの壁面への埋め込み設置の可能化、ホルダーのコンパクト化等を図ることが可能である。
【先行技術文献】
【特許文献】
【０００４】
【特許文献１】特許第3751353号公報
【発明の概要】
【発明が解決しようとする課題】
【０００５】
上記の前後方向からワンタッチで脱着、交換可能としたロールペーパーホルダーにおいては、ペーパー保持部材が前後方向に揺動可能であるが、ロールペーパーの上面を覆うように紙切板が設けられている場合、ペーパー保持部材の奥行き方向の位置（即ちペーパーの中心位置）に対して、紙切板の先端位置は必然的に手前方向になる。紙切板を上から強く押さえた場合に紙切板によってロールペーパーが押されるが、紙切板とペーパーの接触位置によっては壁側に押す力が発生するため、ペーパー保持部材が壁側に揺動し、保持部間寸法が拡がる。その揺動はロールペーパーが小径の時には発生しやすく、ロールペーパーが落下することがあった。
【０００６】
また、ロールペーパーにも様々な紙の幅があり、基本的には最大幅（JISは114±2mm、つまり最大116mm）に対応できるようにホルダーは設計されている。一方でホルダーは便器の側壁に取り付けられることが多く、体の側面に位置するため、紙が真っ直ぐ引き出されず、斜め横方向に引き出されるケースが多々ある。その場合はロールペーパーが片側に寄るため、他側のペーパー保持部材が手前側に揺動し、保持部間寸法が拡がる。特に幅狭のロールペーパーの場合は落下する事態になる。
【０００７】
そこで本発明においては、前後方向からワンタッチで脱着、交換可能としたロールペーパーホルダーにおいて、ロールペーパーが少なくなって小径となった時でも、また、幅狭のロールペーパーの時でも、ロールペーパーが落下することを防止することができるロールペーパーホルダーを提供することを目的とする。
【課題を解決するための手段】
【０００８】
本発明に係るロールペーパーホルダーにおいては、トイレルームの壁面に固定される壁面取付部と、該壁面取付部よりも前方に位置する左右の側部とを少なくとも備えたホルダー本体と、該ホルダー本体の左右の側部の内面に対称的に設けられ、前後に移動するロールペーパーによって起倒自在であり、前方若しくは後方に倒伏した位置から起立した中立位置に向けて付勢されていることで、中立位置でロールペーパーの筒芯を回転可能に支持するペーパー保持部材と、前記ホルダー本体の左右の側部に回動自在に取り付けられ、ロールペーパーの上面を覆うと共に、先端にペーパーの紙切り部が設けられた紙切板とからなり、前記紙切板の左右方向の少なくともいずれか一方の下面には、この紙切板の下方への回動時に前記ペーパー保持部材と当接し、このペーパー保持部材の後方への倒伏を規制する規制突起が設けられていることを特徴とする。
【０００９】
このような構成により、紙切板を上から押さえたときであってもペーパー保持部材の後方への倒伏を規制することができ、ロールペーパーが落下するのを防止することができる。
【００１０】
また、本発明に係るロールペーパーホルダーにおいては、好ましくは、前記規制突起は、前記ホルダー本体の左右の側部とロールペーパーの端面との間に挿入可能であり、ロールペーパーの横移動を規制可能であることを特徴とする。
【００１１】
このような構成により、ペーパーが斜め前方に引き出された時でも、ロールペーパーが片側へ寄ることを規制することができ、そのため、他側のペーパー保持部材が手前に倒伏することが抑制され、ロールペーパーが落下することを防止することができる。
【発明の効果】
【００１２】
本発明によれば、紙切板を上から押さえたときであってもペーパー保持部材の後方への倒伏を規制することができ、ロールペーパーが落下するのを防止することができる。
【図面の簡単な説明】
【００１３】
【図１】本発明の実施形態に係るロールペーパーホルダーが壁に固定された状態を示す正面図である。
【図２】本発明の実施形態に係るロールペーパーホルダーの斜視図。
【図３】本発明の実施形態に係るロールペーパーホルダーの分解斜視図。
【図４】本発明の実施形態に係るロールペーパーホルダーのロールペーパーが無い状態の斜視図。
【図５】本発明の実施形態に係るロールペーパーホルダーにおける紙切板が押された状態の斜視図。
【発明を実施するための形態】
【００１４】
本発明の実施形態に係わるロールペーパーホルダーについて図面に基づいて説明する。
図１は、本発明の実施形態に係るロールペーパーホルダーが壁に固定された状態を示す正面図であり、図２は、本発明の実施形態に係るロールペーパーホルダーの斜視図であり、図３は、本発明の実施形態に係るロールペーパーホルダーの分解斜視図である。この図１〜図３に示すように、ロールペーパーホルダー１０は、大便器５０が設置されたトイレルームの横壁面に設置されて使用される。
【００１５】
図１において、大便器５０の後方上面には、大便器５０を洗浄するための水を貯めておくロータンク５２が設置され、その前方に使用者の局部へ洗浄水を噴射して洗浄するためのノズル等が内蔵され、便座６２や便蓋６４を回動可能に軸支している局部洗浄装置６０が設置されている状態を示しているが、ロールペーパーホルター１０と、大便器５０や局部洗浄装置６０などの縮尺率は同一ではなく、ロールペーパーホルダー１０の設置状態を模式的に示したものである。
【００１６】
ロールペーパーホルダー１０は、トイレルームの横壁面に固定される壁面取付部１２と、この壁面取付部１２よりも前方に位置する側部１４によってホルダー本体１６が構成されている。なお、本実施形態のロールペーパーホルダー１０は、左右の並べて２つのロールペーパー３０を支持可能であり、壁面取付部１２の左右方向両端に側部１４が設けられていると共に、壁面取付部１２の左右方向の中間位置にも壁部１４が設けられている。そして、これら側部１４の内面には、ロールペーパー３０を回転可能に支持するために、４つのペーパー保持部材１８が設けられており、対となるペーパー保持部材１８の夫々にペーパーロール３０を保持可能である。
【００１７】
なお、ペーパー保持部材１８は、ロールペーパー３０を前後に移動させることによって、前後に起倒自在であり、前方若しくは後方に倒伏した位置から起立した中立位置に向けて付勢されている。具体的には、図３に示すように、ペーパー保持部材１８は上方に向けて突出した起倒軸１８ａと、この起倒軸１８ａに対して前後に回動可能な保持アーム１８ｂとからなり、起倒軸１８ａと保持アーム１８ｂとの間にはばね（図示せず）が介装されており、そのばねの作用によって保持アーム１８ｂは、起倒軸１８ａ回りの所定の中立位置から回動されると、中立位置に戻るようにばねによる付勢力が得られるように構成されている。そのため、図３に示す状態が中立位置となるように起倒軸１８ａを側部１４に対して回転しないように嵌め込み固定することで、ペーパー保持部材１８は、その先端が対向する状態が中立位置となり、そこから前後に倒伏可能となるように固定されている。
【００１８】
そのため、ペーパー保持部材１８が起立した中立位置において、ロールペーパー３０の筒芯３２を回転可能に支持できると共に、ロールペーパー３０を使い終わって、筒芯３２のみとなった場合には、その筒芯３２を手前に引き出すことで、筒芯３２を保持しているペーパー保持部材１８が前方に倒伏することによって、筒芯３２を片手で簡単に取り外すことが可能であり、また、新たなロールペーパー３０を装着する際には、そのロールペーパー３０を前方からペーパー保持部材１８に押し付けることで、ペーパー保持部材１８が後方に倒伏し、更にロールペーパー３０を後方に押し込むとペーパー保持部材１８が筒芯３２内に入りこんで起立状態となるため、新しいロールペーパー３０の装着も片手で簡単に行うことが可能である。
【００１９】
また、ホルダー本体１６の対向する側部１４の間には、装着されているロールペーパー３０の上面を覆うように紙切板２０が設けられている。紙切板２０は、後方の回動軸２０ｂによって、上下方向に回動可能となるように側部１４に対して取り付けられている。この紙切板２０の先端には、紙切部２２が設けられており、ロールペーパー３０から引き出したペーパーをこの紙切部２２に押し当てることで切断を行うことが可能である。更に、紙切板２０の左右方向における両側の端部の一部、即ち、紙切板２０の両側の側辺の一部には、下方に向かって突出した板状の規制突起２０ａが形成されている。この規制突起２０ａは、使用者によって紙切板２０が下方向けてに押し下げられた際に、ペーパー保持部材１８の後ろ側と当接し、ペーパー保持部材１８の後方への倒伏を規制することが可能である。
【００２０】
次に、規制突起２０ａの機能について図４および図５を用いて説明する。図４は、本発明の実施形態に係るロールペーパーホルダーのロールペーパーが無い状態の斜視図であり、図５は、本発明の実施形態に係るロールペーパーホルダーにおける紙切板が押された状態の斜視図である。なお、これら図４、図５においては、説明の都合上、側部１４などを省略して示している。
【００２１】
図４に示すように、ペーパー保持部材１８にロールペーパーが装着されていない状態においては、ペーパー保持部材１８の前方上面に紙切板２０の前方部分が当接し、後方上面に規制突起２０ａが当接する状態となる。そのため、ペーパー保持部材１８の上面は、紙切板３０の前方部分と規制突起２０ａとによって挟まれることになり、紙切板２０を押し下げたとしても、ペーパー保持部材１８が後方へ倒伏するように移動することを防止できる。
【００２２】
このように、ペーパー保持部材１８が後方へ倒伏するように移動することの防止は、ロールペーパー３０の残量が少なく、ロールペーパー３０が小径となった際に特に有効である。即ち、図２に示すように、新しいロールペーパー３０が装着されたばかりでペーパー残量が多く、ロールペーパー３０が大径である状態では、紙切板２０は略水平状態である。そのため、紙切板２０を上方から押さえたとしても、その力がロールペーパー３０に作用してペーパー保持部材１８に伝達される力は略鉛直下向きであり、そのため、ペーパー保持部材１８は後方に倒伏することない。
【００２３】
一方、図５のように、ロールペーパー３０の残量が少なく、ロールペーパー３０が小径となっている状態では、紙切板２０は前方に向けて下り傾斜となっているため、紙切板２０を押し下げる力Ｆが作用すると、その力がロールペーパー３０に作用してペーパー保持部材１８に伝達される力としては、水平後方に向かう成分が図２の状態と比べて大きくなり、ペーパー保持部材１８を後方に倒伏させるように作用する。しかし、ペーパー保持部材１８の前方上面はロールペーパー３０を介して紙切板２０の前方部分が当接し、後方上面に規制突起２０ａが当接する状態となるため、ペーパー保持部材１８の上面は紙切板３０の前方部分と規制突起２０ａとによって挟まれることになり、紙切板２０を押し下げたとしても、ペーパー保持部材１８が後方へ倒伏するように移動することを防止できる。よって、対向するペーパー保持部材１８の間隔が広がることがなく、ロールペーパー３０がペーパー保持部材１８から外れて落下してしまうことを防止することができる。
【００２４】
また、本実施形態に係るロールペーパーホルダー１０においては、規制突起２０ａは板状であって、ホルダー本体１６の左右の側部１４とロールペーパー３０の左右両側端面との間に挿入されて使用される。そのため、幅狭のロールペーパー３０が装着されていた場合でも、そのロールペーパー３０の横移動を規制することが可能であり、ペーパーが斜め前方に引き出された時でも、ロールペーパー３０が片側の寄ることを規制することができ、そのため、他側のペーパー保持部材１８が前側に倒伏することが抑制されて、結果として、ロールペーパー３０が落下するのを防止することができる。
【００２５】
上記の実施形態においては、ロールペーパーホルダー１０として、２個のロールペーパー３０を装着可能なものについて説明してきたが、１個のロールペーパーを装着するものであっても、また、３個以上を装着可能なものであってもよい。また、規制突起２０ａは、紙切板２０と一体である必要はなく、紙切板２０とは別体に成型しておき、それをねじや接着によって紙切板に固定するようにしてもよい。また、規制突起は紙切板の左右の片側のみに設けることも可能であるが、ロールペーパーの片寄りを抑制するためには、左右両側に設けておくことが好ましい。
【符号の説明】
【００２６】
１０…ロールペーパーホルダー、  １２・・・壁面取付部、  １４・・・即部、  １６・・・ホルダー本体、  １８・・・ペーパー保持部材、１８ａ・・・起倒軸、  １８ｂ・・・保持アーム、  ２０・・・紙切板、  ２０ａ・・・規制突起、  ２０ｂ・・・回動軸、  ２２・・・紙切部、  ２４・・・棚板、  ３０・・・ロールペーパー、  ５０・・・大便器、  ５２・・・ロータンク、  ６０・・・局部洗浄装置、  ６２・・・便座、  ６４、便蓋
【図２】
2015066020.tif 000003
【図３】
2015066020.tif 000004
【図４】
2015066020.tif 000005
【図５】
2015066020.tif 000006
【図１】
2015066020.tif 000007